(57)【要約】【課題】取付装置を薄くすると共に、その底面から突起物をなくし、照明器具カバーを可及的に天井に近づけた薄型の照明器具取付装置を提供すること。【解決手段】引掛シーリング取付用の栓刃３，３を有する取付装置本体２と、取付装置本体２の左右両側にそれぞれ配置されて、径方向に移動可能な一対の係止部材６，６と、これら係止部材６，６の外端部に形成されて取付装置本体２から出入する係止爪７と、係止部材６，６を係止爪が突出する方向に付勢する付勢バネ１０，１０と、一対の係止部材６，６を支持する底板１１とを備える。一対の係止部材６，６の下面に解除用穴部８，８がそれぞれ形成され、底板１１に形成した通孔１２，１２を通じて解除用穴部８，８が取付装置本体２の下面に露出した状態に配置されている。【選択図】図４
0003161119.tif 000002
【実用新案登録請求の範囲】
【請求項１】
引掛シーリング取付用の栓刃を有する取付装置本体と、前記取付装置本体の左右両側にそれぞれ配置されて、径方向に移動可能な一対の係止部材と、これら係止部材の外端部に形成されて前記取付装置本体から出入する係止爪と、前記係止部材を係止爪が突出する方向に付勢する付勢手段と、前記一対の係止部材を支持する底板とを備えた照明器具取付装置において、
前記一対の係止部材の下面に解除用穴部がそれぞれ形成され、前記底板に形成した通孔を通じて前記解除用穴部が取付装置本体の下面に露出した状態に配置されている、ことを特徴とする照明器具取付装置。
【考案の詳細な説明】
【技術分野】
【０００１】
本考案は、天井へ固定された引掛シーリングに着脱可能に取り付けられ、出没自在の係止爪を有する本体と、本体から突出した係止爪で照明器具本体を支持するように構成された照明器具取付装置に関する。
【背景技術】
【０００２】
引掛シーリングへ取り付けられるアダプタベースの左右両側に、係止部材をそれぞれ径方向に移動可能に配置すると共に、係止部材の先端に照明器具本体に対して着脱自在に係合する係止爪をアダプタベースから出没するよう形成し、係止部材を係止爪が突出する方向に付勢し、係止部材の下面に設けた解除突片をアダプタベースの下面に露出した天井直付け照明器具取付装置が、例えば、特開２００３−１８７６３３号公報に開示されている。
【０００３】
これによれば、係止爪がアダプタベースから突出した状態において、照明器具本体を係止爪に係合させて支持し、また、解除突片を操作して係止爪を没入させることにより照明器具本体を取り外すことができる。
【先行技術文献】
【特許文献】
【０００４】
【特許文献１】特開２００３−１８７６３３号公報
【考案の概要】
【考案が解決しようとする課題】
【０００５】
ところが、この照明器具取付装置は、照明器具本体を係止する係止爪と一体成形されている解除レバー部が、照明器具取付装置の下面から下方に向けて突出されているために、薄型照明器具を照明器具取付装置に取り付ける場合、この突出されている解除レバー部が照明器具の照明器具カバーに当ってしまい、邪魔となって薄型照明器具の取り付けが不可能であった。
【０００６】
そこで、本考案は、これに鑑みてなされたもので、その目的は、取付装置を薄くすると共に、その底面から突起物をなくし、照明器具カバーを可及的に天井に近づけた薄型の照明器具取付装置を提供するものである。
【課題を解決するための手段】
【０００７】
請求項１に係る照明器具取付装置は、引掛シーリング取付用の栓刃を有する取付装置本体と、前記取付装置本体の左右両側にそれぞれ配置されて、径方向に移動可能な一対の係止部材と、これら係止部材の外端部に形成されて前記取付装置本体から出入する係止爪と、前記係止部材を係止爪が突出する方向に付勢する付勢手段と、前記一対の係止部材を支持する底板とを備えたものであって、上記課題を解決するために、前記一対の係止部材の下面に解除用穴部がそれぞれ形成され、前記底板に形成した通孔を通じて前記解除用穴部が取付装置本体の下面に露出した状態に配置されている、ことを特徴とするものである。
【考案の効果】
【０００８】
請求項１に係る照明器具取付装置によれば、係止部材の下面に解除用穴部を設けたことにより、取付装置全体の厚みを小さくできると共に、取付装置本体の下方に突出するものがなく、下面をフラットにすることができるので、照明器具本体の照明器具カバーを可及的に取付装置本体に近接して薄型の照明器具の取り付けが可能になる。
【図面の簡単な説明】
【０００９】
【図１】本考案の実施形態に係る照明器具取付装置を上面側から示す斜視図である。
【図２】図１の照明器具取付装置を底面側から示す斜視図である。
【図３】底板を取り除いて示す照明器具取付装置の斜視図である。
【図４】照明器具取付装置の断面図である。
【考案を実施するための形態】
【００１０】
以下、本考案の実施の形態を図面を参照して説明する。図１は本考案の実施形態に係る照明器具取付装置１を上面側から示す斜視図であり、図２は図１の照明器具取付装置１を底面側から示す斜視図である。また、図３は底板を取り除いて示す照明器具取付装置１の斜視図であり、図４は照明器具取付装置１の断面図である。
【００１１】
図１乃至図４に示すように、照明器具取付装置１は略円筒状をなした取付装置本体２を備え、取付装置本体２の上面には、引掛シーリング（図示せず）取付用の一対の栓刃３，３が同一円周上に互いに向かい合って配置され、天井面に設置された図示しない引掛シーリングに対する取付装置本体２の取り外し方向の回動（反時計方向の回動）を阻止するロック爪４が栓刃３，３と同一円周上に出没自在に配設される共に、取付装置本体２の取り外し回動方向において栓刃３，３の一方よりも上流側に配置されている。
【００１２】
また、取付装置本体２の側部の周面には、ロック解除ボタン５が取付装置本体２に対して押し込み可能に配設され、ロック解除ボタン５を押し込むことにより、ロック爪４を取付装置本体２の上面から没入させて取付装置本体２の取り外し方向の回動（反時計方向の回動）を阻止する状態（ロック状態）が解除可能となる。なお、ロック爪４を取付装置本体２の上面から出没自在とするための構成及び作用は、従来周知であるので詳細な説明を省略する。
【００１３】
ロック解除ボタン５の配設位置と略９０度をなす位置となる取付装置本体２の側部の周面には、取付装置本体２と係合する照明器具本体（図示せず）の係止受部（図示せず）に対して着脱可能に係合する係止爪７，７を一体に備えた係止部材６，６が径方向の左右にそれぞれ出没移動自在に配設されている。
【００１４】
また、係止部材６，６の下面には、左右の係止爪７，７をそれぞれ取付装置本体２の周面に没入させるために径方向の内側にそれぞれ摺動操作される解除用穴部８，８が形成されている。
【００１５】
左右の係止部材６，６には、それぞれ係止部材６の後端に連通したスプリング挿入溝９，９が設けられ、このスプリング挿入溝９，９にコイルスプリングからなる付勢バネ１０，１０がそれぞれ挿入される。付勢バネ１０，１０の各一端はスプリング挿入溝９，９の端壁に各々当接され、付勢バネ１０，１０の他端は、左右の係止部材６，６の収納部を構成する中央側の各内壁にそれぞれ外挿されて位置決めされている。
【００１６】
取付装置本体２の下面には、図２に示すように、底板１１がビス止めにより装着される。左右の係止部材６，６は、その下面側を底板１１によって支持されて取付装置本体２の収納部にそれぞれ収納されると共に、左右の係止部材６，６の下面に設けられた解除用穴部８，８が底板１１に形成された左右の通孔１２，１２を通じて取付装置本体２の下面に露出した状態に配置され、付勢バネ１０，１０によって取付装置本体２の径方向両外側に向けてそれぞれ付勢されている。
【００１７】
以上のように構成された照明器具取付装置１は、照明器具本体の天板に設けた円形の通孔（図示せず）に取付装置本体２を一致させ、照明器具本体を押し上げると、通孔の周縁が係止爪７，７を押圧することにより、付勢バネ１０，１０の付勢に抗して係止爪７，７が取付装置本体２内に進入し、通孔が係止爪７の先端を越えると、左右の係止部材６，６が付勢バネ１０，１０の復帰力によりそれぞれ径方向外方に押し出され、係止爪７，７の上部に照明器具本体の通孔の周縁が支持され、取付装置本体２に照明器具本体が取り付けられる。
【００１８】
照明器具取付装置１は、係止爪７が一体形成された係止部材６の下面に解除用穴部８を設けたことにより、照明器具取付装置１の全体の厚みを小さくできると共に、取付装置本体２の下方に突出するものがなく、下面をフラットにすることができるので、照明器具本体の照明器具カバーを可及的に取付装置本体２に近接して薄型の照明器具の取り付けが可能になる。
【００１９】
さらに、取付装置本体２に配線されている電源コード１３は、取付装置本体２の周面に取付装置本体２の下端に連通する切り欠きよりなるコード逃がし部１４を形成することにより、電源コード１３をコード逃がし部１４に挿入して水平方向外側に引き出すことができるので、垂直方向及び水平方向への配線が可能である。
【００２０】
また、照明器具本体の取り外しは、解除用穴部８，８に指を挿入しながら互いに接近する中央へ移動する。
【符号の説明】
【００２１】
１  照明器具取付装置
２  取付装置本体
３  栓刃
４  ロック爪
５  ロック解除ボタン
６  係止部材
７  係止爪
８  解除用穴部
９  スプリング挿入溝
１０  付勢バネ
１１  底板
１２  通孔
１３  電源コード
１４  コード逃がし部
１５  電源コネクタ
【図１】
0003161119.tif 000003
【図２】
0003161119.tif 000004
【図３】
0003161119.tif 000005
【図４】
0003161119.tif 000006